(57)【要約】【課題】側縁部の支柱への取付け取外しを容易にし、止め具の部分交換を容易にできる止め具を提供する。【解決手段】止め具７の一端側にベルベットファスナ８ａの係合部を付着し、止め具７の他端側にはベルベットファスナ８ｂの被係合部を付着し、該他端側に耳部を設けた。更に、止め具７の広面中央側には、ベルベットファスナ９ｂの被係合部を付着し、ベルベットファスナ９ａの係合部を付着した帯状部材１０を設け保持手段とした。側縁部４と支柱５との締結は耳部を利用しベルベットファスナ８ａ，８ｂ同士の止着によりなされ、止め具７の部分交換は、保持手段であるベルベットファスナ９ａを引っ張り、ベルベットファスナ９ｂとの止着状態を解除することで側縁部４から容易に取外すことができる。【選択図】図１
2006034938.tif 000002
【特許請求の範囲】
【請求項１】
球技場の中央左右に設けられた支柱間に張設される、球技用ネットの上記支柱に沿うネット側縁部と該支柱とを巻き掛けて締結する球技用ネットの止め具において、上記止め具は、該止め具両端側に互いに係合可能な係合部及び被係合部を有し、該係合により止着できるベルベットファスナを備え、該止め具を上記ネット側縁部と該支柱とを巻き掛けることにより締結でき、更に、該締結の解除によって該ネット側縁部から該止め具が脱落することを防止する保持手段を有することを特徴とする球技用ネット止め具。
【請求項２】
上記止め具において、該止め具の一端側に上記ベルベットファスナの係合部及び被係合部のどちらか一方と、該止め具の他端側に該ベルベットファスナの係合部及び被係合部のどちらか他方を付着したことを特徴とする請求項１記載の球技用ネット止め具。
【請求項３】
上記止め具の広面中央側に、該ベルベットファスナの係合部及び被係合部のどちらか一方を付着し、該ベルベットファスナの係合部及び被係合部のどちらか他方を付着した帯状部材とで上記側縁部を挟着し保持手段とすることを特徴とする請求項１または２記載の球技用ネット止め具。
【請求項４】
上記保持手段において、上記止め具の広面中央側に付着された上記ベルベットファスナは、係合部及び被係合部のどちらか一方を一定の間隔を空けて二つ付着し、上記帯状部材には該ベルベットファスナの係合部及び被係合部のどちらか他方を上記一定の間隔を空けて二つ付着したことを特徴とする請求項１、２または３記載の球技用ネット止め具
【請求項５】
上記保持手段において、上記止め具の中央部分を、紐状部材もしくは細帯状部材としたことを特徴とする請求項１または２記載の球技用ネット止め具。
【請求項６】
上記保持手段において、上記止め具の広面中央側に、長手両側辺よりそれぞれ長手中心線に向け、所定の箇所に切込み部を設けたことを特徴とする請求項１または２記載の球技用ネット止め具。
【請求項７】
上記止め具一端にベルベットファスナの被係合部の付着された側の裏側に、柔軟性を有するマグネット材を設けたことを特徴とする請求項１乃至６の何れかに記載の球技用ネット止め具。
【請求項８】
上記止め具一端にベルベットファスナの被係合部の付着された側を、他端側の幅より広くした耳部を設けたことを特徴とする請求項１乃至７の何れかに記載の球技用ネット止め具。
【発明の詳細な説明】
【技術分野】
【０００１】  本発明は、バドミントンやテニス、バレーボール競技等に使用されるネットの側縁部を支柱に固定する止め具に関する。
【背景技術】
【０００２】  一般に、図１０に示すように、例えばバドミントン用ネットで説明すると、ネット本体１がコート中央に設置された２本の支柱５の間に張設される際、ネット側縁部４には複数個の紐１２がそれぞれ固く結び付けらており、この紐１２をネット側縁部４と支柱５との締結手段とし、一つ一つ支柱５に結着し隙間を作らないように固定している。【０００３】  また、このようなネット側縁部４の支柱５への締結手段において、開示した公報として例えば、特開平−７−２７５４１５号公報及び特開２００４−２４８８５号公報がある。これらの公報のうち、文献１は図８に示すが、ネット側縁部４に一体となった、互いに係合可能な係合部及び被係合部を有し該係合により止着できるベルベットファスナ８を備えた巻き掛け部１７により支柱５への締結を行うようにしたものである。【０００４】  また、文献２は図９に示すが、ベルベットファスナ８を備えた締結具１９は、ネット本体１、又はフレーム１８のどちらか一方に固着した方が好ましいとする締結手段であり、このどちらも、ベルベットファスナ８を利用し着脱作業の向上を図る旨の記載がある。
【特許文献１】特開平７−２７５４１５号公報
【特許文献２】特開２００４−２４８８５号広報
【発明の開示】
【発明が解決しようとする課題】
【０００５】  しかしながら、以上の技術によれば、図８の巻き掛け部１７を固着した場合、例えばバドミントンネットでは、本来ネット側縁部４に巻き掛け部１７固着用の覆帯１３等は設けていない。よって、製造コストが高くなることと毎日着脱を繰り返すことでベルベットファスナ８部分が傷み、係合力が低下しても巻き掛け部１７のみを交換することができない。【０００６】  また、図９のように締結具１９を固着しない場合、例えば締結していた締結具１９を外した際、締結具１９は固着されていないため、再度どちらかに止着しなければ、持ち運びの際にネット側縁部４より脱落し紛失してしまう可能性がある。また、締結時も一旦止着しているものを解除してからでないと締結させることができない。【０００７】  更に、締結を解除し締結具１９をネット１側に残すよう止着する場合、１つの締結具を外しても、他の締結具が締結されているため、フレーム１８と、ネット側縁部４には隙間があまり空かず、外した締結具の一端部をその狭い隙間に通して止着することは難しくとても便利とは言えず、ネットの網目側に止着するとなると、締結具の形状やベルベットファスナ８の付着する箇所、個数に制限がでてくる。【０００８】  以上のことから、締結具１９を固着した場合は、作業はワンタッチであるが、傷みによる部分交換ができないことと、固着しない場合は、基本的に締結具１９の締結解除後に再度締結具の止着作業が発生することから、一連の作業はツータッチとなり、ベルベットファスナを利用した締結具としての特性が生かされていないという問題があった。【０００９】  本発明は、このような問題点に鑑みてなされたもので、その課題は、ネット側縁部の支柱に対する締結及びその解除における一連の作業をワンタッチで素早く容易にできることと、繰り返しの使用によるベルベットファスナの係合力の低下に対し、低下した止め具の部分交換ができることを両立し、ベルベットファスナを利用した止め具としての特性に十分に対応した、球技用ネットの止め具を提供する点にある。また、必要に応じ止め具とネット側縁部との保持手段において、取付けを一定に行え且つ保持部分が必要以上に厚くならないようにすることや、保持手段を単純化する点も課題とした。
【課題を解決するための手段】
【００１０】  以上の課題を解決するために、本発明の技術的手段は、球技場の中央左右に設けられた支柱間に張設される球技用ネットの、上記支柱に沿うネット側縁部と該支柱とを巻き掛けて締結する球技用ネット止め具において、上記止め具の両端側に互いに係合可能な係合部及び被係合部を有し該係合により止着できるベルベットファスナを備え、該止め具を上記側縁部と該支柱とを巻き掛けることにより締結できる。そして、該締結の解除によって上記ネット側縁部から該止め具が脱落することを防止する保持手段を有するものである。【００１１】  そして、上記止め具の広面中央側に、上記ベルベットファスナの係合部及び被係合部のどちらか一方を付着し、該ベルベットファスナの係合部及び被係合部のどちらか他方を付着した帯状部材とで上記側縁部を挟着し保持手段としたものであり、更に、必要に応じ、上記止め具の広面中央側に付着された上記ベルベットファスナを係合部及び被係合部のどちらか一方を一定の間隔を空けて二つ付着し、上記帯状部材には該ベルベットファスナの係合部及び被係合部のどちらか他方を上記一定の間隔を空けて二つ付着する。そしてそれぞれのベルベットファスナの付着によってできた隙間に沿わせ上記側縁部を挟み込み、止着することにより取付けを一定にでき、該ベルベットファスナの持つ厚みに影響されず保持される箇所が必要以上に厚くならない構成とした。【００１２】  また、必要に応じ、上記止め具の中央部分を、紐状部材もしくは細帯状部材とし、ネットの網目に上記止め具を通し掛けることが有効であり、そして必要に応じ、上記止め具の広面中央側に、長手両側辺よりそれぞれ長手中心線に向け、所定の箇所に切込み部を設けたことも有効である。また、該止め具一端にベルベットファスナの被係合部の付着された側の裏面に、柔軟性を有するマグネット材を設けたことが有効であり、そして必要に応じ、該止め具一端側にベルベットファスナの被係合部の付着された側を他端側の幅より広くした、耳部を設けたことが特に有効である。
【発明の効果】
【００１３】  このような構成からなる本発明の球技用ネット止め具によれば、まず請求項１から３記載の発明では、球技用ネットを支柱に取付けるときは、ネットを支柱間に掛け渡し、支柱とネット側縁部の隙間は、ネット側縁部に保持されている止め具を支柱に巻き掛け、その止め具の両端側に付着されたベルベットファスナで止着し締結できるため隙間ができない。この場合、その作業はワンタッチでできるので、作業は容易に行われる。また、この球技用ネットを取外す時はベルベットファスナの係合を解除するだけであり、解除後も止め具に設けられた保持手段によって、ネット側縁部より止め具が脱落する心配もなく、取付け時と同様にワンタッチの作業で済む。【００１４】  また、請求項４から６に記載の発明では、止め具に設けられた保持手段である、付着された二つのベルベットファスナと帯状部材側の二つのベルベットファスナでできたそれぞれの隙間にネット側縁部を沿わせ挟み込み止着できることで、全ての止め具が一定の箇所にそれぞれ保持できるとともに、該ベルベットファスナの持つ厚みに影響されず保持される箇所が必要以上に厚くならない。また、止め具の中央部分のみ紐状もしくは細帯状の部材とすることによって、その保持手段は、止め具の一端側を指等で折り曲げネット網目に通し掛けるだけで済み、止め具両端側それぞれの形状や紐状部材に接する辺の長さをネットの一網目の対角線の長さより長くする、又は、形状を一網目より大きくすることにより、手によって曲げられることが無ければ、一旦通し掛けられた後は脱落の心配もない。さらに、止め具中央部分に切込みを設けた場合は、互いの切込みを差込み合うだけでネット側縁部に保持できるため構造も取付けも単純且つ容易である。【００１５】  更に、請求項７から８に記載の発明では、止め具一端側の、ベルベットファスナ被係合部が付着された側に柔軟性を有するマグネット材を合わせ設けることで、マグネットの性質により、巻き掛けた際、支柱との吸着により固定され、止め具の、ベルベットファスナ係合部の付着された側を片手で掛けて止着することができる。また、止め具に設けられた耳部においては、止め具を支柱に巻き掛ける際、耳部が設けられた一方を巻き掛け、耳部を指で押え支柱に固定し、押えた指に重なることなく、他方を巻き掛けて止着できるためとても便利である。【００１６】  そして、設けられた保持手段により、ネットの取付け取外し作業において、止め具の脱落の心配はなく、更に止め具が紐の場合と違い、繰り返しの取付け取外し作業による、ベルベットファスナ部分の傷みによって係合力が低下しても、その部分だけの交換が可能であるため、同時にネット本体も新しくする必要はなくとても経済的である。
【発明を実施するための最良の形態】
【００１７】  以下に本発明の実施例を示すが、これは例示の目的で掲げたもので、本発明を何ら限定するものではない。
【実施例１】
【００１８】  図１及び図２は、この発明の一実施例に係る止め具、球技用ネット、支柱（図では、バドミントン用のネット、支柱である）を示している。
この球技用ネットは、ロープ３により球技場１６の中央左右に設けられた支柱５間（図では一方の支柱のみ図示）に張り渡され、ロープ３の端部は金具６に係止し金具６の移動調節後固定される。２はロープ３が引き通される筒状の上縁部、１は上縁部２に垂下して設けられるネット本体である。４は支柱５に沿うネット側縁部である。【００１９】  ７は支柱５と側縁部４を締結する又は側縁部４を保持する手段を持った止め具である。８は止め具７を支柱５に巻き掛けて締結するベルベットファスナであり、９は止め具７が側縁部４を保持する手段であるベルベットファスナである。ベルベットファスナは互いに係合可能な係合部及び被係合部を有し該係合により止着でき、よって止め具７は支柱５との締結及び側縁部との保持が可能となる。詳しくは、ベルベットファスナ８の係合部８ａは止め具本体７の一端側表裏どちらかの面に所定の幅で設けられ、ベルベットファスナ８の被係合部８ｂは他端側表裏どちらかの他面に所定の幅で設けられている。ベルベットファスナ９の係合部９ａは、止め具７の広面中央側に設けた帯状部材１０に所定の幅で設けられ、ベルベットファスナ９の係合部９ｂは止め具７の広面中央側に所定の幅で設けられている。１１は止め具を支柱５に巻き掛け止着する際に、指で押え巻き掛けられる側を固定し、巻き掛け締結し易くする耳部である。【００２０】  従って、この実施例に係る止め具７で球技用ネットの側縁部４を支柱５に取付けるときは、先ず、球技用ネットを支柱５間に張り渡し、ロープ３端部を金具６に係止し金具６の移動調節後固定される。これにより、ネット側縁部４と支柱５が沿う状態となる。そして、予めネット側縁部４に保持された止め具７の両端部で支柱５を巻き掛け、付着されたベルベットファスナ８ａの係合部及びベルベットファスナ８ｂの被係合部の該係合によって、ネット側縁部４と支柱５を締結する。【００２１】  また、上記締結の際、止め具７の幅によっては、設けられるベルベットファスナ８の幅が狭くなり、被係合部側を支柱５に一旦指で押えこむ場合に、指がベルベットファスナ８ｂにかかってしまい、係合部側を突き合わせる際に邪魔になるが、耳部１１があることにより、指は耳部１１を押さえ込むことができるため、止め具７の幅が狭い場合でも容易に締結が行える。【００２２】  次に、支柱５からネット側縁部４を外す時は、巻き掛けた係合部側の一端を引っ張り解除する。更に、この止め具７の着脱作業の繰り返しによるベルベットファスナ８の傷みによる係合力の低下のため、その止め具７を交換したい場合は、保持手段であるベルベットファスナ９ａを引っ張って係合を解除し、容易にネットから取外し新しい止め具と交換することができる。
【実施例２】
【００２３】  図３は、別の実施例に係る球技用ネットの止め具を示している。図３に示す止め具は、上記実施例と略同様に構成されるが、異なる点は耳部が設けられていない点である。従って少しでも製造コストは下がることになる。
【実施例３】
【００２４】  図４は、別の実施例に係る球技用ネットの止め具を示している。図４に示す止め具は、保持手段であるベルベットファスナ９の係合部９ａと被係合部９ｂがそれぞれ一定の間隔を空けて二つ取付けられており、その空いたそれぞれの隙間にネット側縁部４を沿わせ挟み込み止着できる。従ってどの止め具も一定の状態に保持することができることと、ベルベットファスナ９の持つ厚みに影響されず保持される箇所が必要以上に厚くならない。他の作用は上記実施例と同様である。
【実施例４】
【００２５】  図５に示す止め具は、保持手段が上記実施例と異なり、止め具７の中央部分が１４の紐状部材もしくは細帯状部材（図では紐状部材）で構成されており、紐状部材１４の両端側にそれぞれ上記図１乃至図４に示した止め具両端側部分と同様のものがそれぞれ固着され設けられている。また、紐状部材１４に接する両辺縁部１３は、ネット一網目の対角線の長さより長くしている、又は、一網目の面積より大きくしている。従って、上記止め具の側縁部４への保持手段は、止め具７の一端側を指等で長手方向に軽く折り曲げ、ネット網目に通し紐状部材を、ネット一網目を構成する底辺に掛けることでなされる。よって構造的にも作業的にも容易である。他の作用は上記実施例と同様である。
【実施例５】
【００２６】  図６に示す止め具は、保持手段が上記実施例と異なり、止め具７の広面中央側に、長手両側辺に一ヶ所づつ切込み１５を入れ、互いの切込みを差込み合うだけで、側縁部４に保持することができる。従って、構造的に単純であり、製造も容易となる。他の作用は上記実施例と同様である。
【実施例６】
【００２７】  図７には、他の実施例に係る止め具を示している。図７に示す止め具は、ベルベットファスナ８ｂの裏面に柔軟性を有するマグネット材を設けたものであり、止め具７によるネット側縁部４と支柱５との締結時は、マグネットの性質により掛けられる側を支柱に吸着により固定し、止め具の掛ける側を片手で掛けて止着することができるため便利である。他の作用は、図１乃至４の実施例と同様である。【００２８】  尚、止め具７及び帯状部材１０は、天然繊維、化学合成繊維、樹脂製、などからなるシートで形成され、また、帯状部材１０は所定の箇所に接着、縫着、融着などの固着方法により固着しておくほうが取り扱い易い。また、止め具７及び帯状部材１０の形状も、曲線を持ったものでも良い。更に、止め具７は長手方向に伸縮する素材で構成されても良い。止め具７及び止め具の耳部１１の形状は、図１、図２に示す以外にも、止め具７を支柱５に巻き掛け締結し易ければどのような形状でも良い。【００２９】  更に上記ベルベットファスナの係合部８ａ、９ａ及び被係合部８ａ、９ｂの配置は上述したものに限らず、係合部及び被係合部が逆の位置に配置するようにしても良く、適宜変更して差し支えない。そして、ベルベットファスナ８、９の設け方も上述したものに限らず、側縁部４と支柱５との締結、及び、止め具７と側縁部４との保持が可能であれば、どのように設けても良い。また、マグネット材２０は上述した機能が行えれば、形状や取付け箇所、及び、取付け方法はどのようなものでも良い。【００３０】  そして更に、上記実施例は、本発明をバドミントン用ネットの止め具として適用したが、必ずしもこれに限定されるものではなく、例えば、テニス、バレーボール、サッカー、ハンドボール等の、ネットを支柱又はフレームに取付け行われる種々の球技に適用して良いことは勿論である。
【図面の簡単な説明】
【００３１】
【図１】  本発明の実施例に係る球技用ネット止め具を示す斜視図である。
【図２】  本発明の実施例に係る球技用ネット止め具を示す斜視図である。
【図３】  本発明の別の実施例に係る球技用ネット止め具を示す斜視図である。
【図４】  本発明の別の実施例に係る球技用ネット止め具を示す斜視図である。
【図５】  本発明の別の実施例に係る球技用ネット止め具を示す斜視図である。
【図６】  本発明の別の実施例に係る球技用ネット止め具を示す斜視図である。
【図７】  本発明の別の実施例に係る球技用ネット止め具を示す側面図である。
【図８】  本発明の他の実施例に係る球技用ネット止め具を示す要部斜視図である。
【図９】  本発明の他の実施例に係る球技用ネット止め具を示す要部斜視図である。
【図１０】  従来の球技用ネットを示す斜視図である。
【符号の説明】
【００３２】  １  ネット本体          ２    上縁部      ３    ロープ      ４    側縁部
５  支柱                ６    金具        ７    止め具
８  ベルベットファスナ  ８ａ  係合部      ８ｂ  被係合部
９  ベルベットファスナ  ９ａ  係合部      ９ｂ  被係合部
１０  帯状部材            １１  耳部        １２  紐          １３  側辺部
１４  紐状部材            １５  切込み      １６  球技場      １７  巻き掛け部
１８  フレーム            １９  締結具      ２０  マグネット材
【図１】
2006034938.tif 000003
【図２】
2006034938.tif 000004
【図３】
2006034938.tif 000005
【図４】
2006034938.tif 000006
【図５】
2006034938.tif 000007
【図６】
2006034938.tif 000008
【図７】
2006034938.tif 000009
【図８】
2006034938.tif 000010
【図９】
2006034938.tif 000011
【図１０】
2006034938.tif 000012